(57)【要約】【課題】軽量であって組み立て・解体が容易で、運搬・製造のコストが低廉で老若男女を問わず取り扱い・保管が簡単で設置・撤去も簡単で廃棄に際しても資源の浪費がない陳列書棚を提供する。【解決手段】所定間隔で対向する一対の支柱側板と、前記一対の支柱側板の間に架設される棚板と具えてなる簡易軽量陳列・書棚であって、前記支柱側板は薄板で形成される中空体で構成され、断面略Ｌ字形状をなして薄板で形成される前記棚板の両端は両支柱側板の対向面に棚板の断面形状に対応して略Ｌ字形状に形成された差込溝部に嵌合するように構成され、薄板素材はダンボールなどの板紙による簡易軽量陳列・書棚を実現して前記課題を解決する。【選択図】  図２
0003175644.tif 000002
【実用新案登録請求の範囲】
【請求項１】
所定間隔で対向する一対の支柱側板と、前記一対の支柱側板の間に架設される棚板と具えてなる簡易軽量陳列・書棚であって、前記支柱側板は薄板で形成される中空体で構成され、断面略Ｌ字形状をなして薄板で形成される前記棚板の両端は両支柱側板の対向面に棚板の断面形状に対応して略Ｌ字形状に形成された差込溝部に嵌合するようにしたことを特徴とする簡易軽量陳列・書棚。
【請求項２】
請求項１記載の簡易軽量陳列・書棚において、書棚断面の略Ｌ字形状の直立部の上端部から上部強化片部を横方向に、また略Ｌ字形状の水平部の下端部から下部強化片部を横方向にそれぞれ突出形成するとともに、前記両支柱側板の対向面に棚板の断面形状に対応して略Ｌ字形状に形成された差込溝部にも棚板の前記上部強化片部ならびに下部強化片部を勘合する差込溝部が形成するようにしたことを特徴とする簡易軽量陳列・書棚。
【請求項３】
請求項１又は２記載の簡易軽量陳列・書棚において、前記薄板はダンボールで構成したことを特徴とする簡易軽量陳列・書棚。
【請求項４】
請求項１ないし３いずれか記載の簡易軽量陳列・書棚において、前記両支柱側板の上端開口部には着脱自在の蓋を設けるとともに、書棚本体には背面補強板を取り付けたことを特徴とする簡易軽量陳列・書棚。
【請求項５】
請求項１ないし４いずれか記載の簡易軽量陳列・書棚において、書棚本体の背面上端には広告用パネルを取り付けたことを特徴とする簡易軽量陳列・書棚。
【考案の詳細な説明】
【技術分野】
【０００１】
本願考案は、書籍、雑誌、ＣＤ、ＤＶＤ、ビデオカセット等を陳列する簡易軽量書棚に関し、詳しくは前記商品を暫時陳列するための組み立て・解体が容易で取り扱い易く、販促に資するのみでなく廃棄時にも環境に負荷をかけることが少ない陳列陳列・書棚に関するものである。
【背景技術】
【０００２】
従来、書店やレンタルショップ等では、書籍、雑誌、ＣＤ、ＤＶＤ、ビデオカセット等の平板状の商品を収納して陳列する陳列具が使用されている。
【０００３】
このような陳列具としては、例えば特許文献１に開示されているものがある。この陳列具は書籍類の一般的な陳列態様に使用されるもので、上下方向に多段の収納空間を有していて、この収納空間に、書籍類が背表紙を手前側に向けて陳列されるようになっている。      
そして、この陳列棚の下方には、対向する一対の平台が配置されており、この平台上には、書籍がおもて表紙を上に向けて平積みされて、いわゆる面陳列されるようになっている。
【０００４】
また、特許文献２も、背表紙を手前側に向けた縦列陳列方法とおもて表紙を手前側に向けた面陳列方法とが可能な陳列具を開示している。この陳列具は、上下方向に３段かつ水平方向に複数に区画されて多数の収納空間を有しており、各収納空間には、書籍が背表紙を手前側に向けて陳列されるようになっている。
【０００５】
本願に関して、次のような先行技術が存在する。
【特許文献１】特開２０００−１５７３３５０号公報
【特許文献２】特開２００４−２２３００７号公報
【考案の開示】
【考案が解決しようとする課題】
【０００６】
ところで、書店などではカヤンペーンを実施して特定の書籍類その他の商品を通常の書籍・商品類とは別枠の展示にして商品のアピールが必要とする場合が少なくない。
このようなとき、従来それらの書籍その他の商品の陳列はその店舗の既存の書棚や陳列台を使用せざるを得ないが、通常は書棚、陳列台は書籍、商品の展示で塞がっているのが実情である。  このように既設の書棚、陳列台が使用できないため、キャンペーンのために展示の用に供するため、出版社などではそのために格別の書棚、陳列台を制作して店舗側に提供するのが通例となっている。
【０００７】
しかしながら、キャンペーンは一度に数百店舗で行われることもあり、通常の書棚、陳列台を制作するには長時間を要することはもちろん、制作費も相応に必要となる。  
そして、キャンペーン終了時には書棚、陳列台を撤去する必要があり、煩瑣かつ相当の作業量が必要となりこれに要する費用も安価とはいえない。  また、時には撤去したものの廃棄が必要となり、これに要する作業も容易なものではなく、かつ相当な費用が必要となる。
【課題を解決するための手段】
【０００８】
本願考案は、所定間隔で対向する一対の支柱側板と、前記一対の支柱側板の間に架設される棚板と具えてなる簡易軽量陳列・書棚であって、前記支柱側板は薄板で形成される中空体で構成され、断面略Ｌ字形状をなして薄板で形成される前記棚板の両端は両支柱側板の対向面に棚板の断面形状に対応して略Ｌ字形状に形成された差込溝部に嵌合するように構成して、組み立て解体が簡易であり、かつ軽量な陳列・書棚を提供して、上記従来の課題を解決しようとするものである。
【０００９】
また、上記段落０００８記載の簡易軽量陳列・書棚において、書棚断面の略Ｌ字形状の直立部の上端部から上部強化片部を横方向に、また略Ｌ字形状の水平部の下端部から下部強化片部を横方向にそれぞれ突出形成するとともに、前記両支柱側板の対向面に棚板の断面形状に対応して略Ｌ字形状に形成された差込溝部にも棚板の前記上部強化片部ならびに下部強化片部を勘合する差込溝部が形成するように構成することがある。
【００１０】
さらに、上記段落０００８又は０００９記載の簡易軽量陳列・書棚において、前記薄板はダンボールその他の板紙で構成することがある。
【００１１】
またさらに、上記段落０００８ないし００１０いずれか記載の簡易軽量陳列・書棚において、前記両支柱側板の上端開口部には着脱自在の蓋を設けるとともに、書棚本体には背面補強板を取り付ける構成となすことがある。
【００１２】
そして、上記段落０００８ないし００１１いずれか記載の簡易軽量陳列・書棚において、書棚本体の背面上端には広告用パネルを取り付けた構成となすがある。
【考案の効果】
【００１３】
本願考案は、上記の構成を有することにより、以下のような効果を得ることができる。
イ：  組み立て解体が容易であり、製造コストのみならず運搬、保管等のコストも低廉で取り扱いが極めて容易である。
ロ：  素材が板紙等の薄板材であるため軽量であるので老若男女を問わず組み立て解体がしやすく、また、必要に応じて、簡単にはさみやカッターなどで所望の加工が可能である。
ハ：  素材をダンボールなどの板紙とした場合、廃棄時にも資源として再生リサイクルにまわすことができるので環境への負荷が少ない。
ニ：  全体として軽量であるため、自身その他の原因により、万一倒れ掛かるようなことがあっても人その他に重大な損傷を与えるおそれが少ない。
【考案を実施するための最良の形態】
【００１４】
本願に係る簡易軽量陳列・書棚の素材は、板紙特に汎用のダンボール材の使用が好ましいが、耐水性を考慮してダンボール材の表面にはプラスチックフィルム層を形成し、さらにダンボール材には防炎剤を散布もしくは浸透するなどの防炎処理しておくことが望ましい。
【実施例】
【００１５】
次に、図面により本願考案の実施例を説明する。  図１は、本願に係る簡易軽量陳列・書棚の１実施例を示す斜視図，図２は一部分解斜視図である。
図において、簡易軽量陳列・書棚本体Ａは、所定間隔で対向する一対の支柱側板１、１と、前記一対の支柱側板１，１の間に架設される棚板２，２．．とを具えている。
そして、後述のように前記支柱側板１，１は薄板で形成される中空体で構成されている。図２に示すように、断面略Ｌ字形状をなして薄板で形成される前記棚板２、２．．．の両端は両支柱側板１，１の対向面に棚板２，２．．の断面形状に対応して略Ｌ字形状に形成された差込溝部２aに嵌合するように構成されている。
【００１６】
また、図３に示すように、書棚２断面の略Ｌ字形状の直立部２１の上端部から上部強化片部２１aを横方向に、また略Ｌ字形状の水平部２２の下端部から下部強化片部２２aを横方向にそれぞれ突出形成されている一方、図２に示すように、前記両支柱側板１、１の対向面に棚板２の断面形状に対応して略Ｌ字形状に形成された差込溝部２aにも棚板２の前記上部強化片部２１aならびに下部強化片部２２aを勘合する差込溝部２１ｂ、２２ｂがそれぞれ形成されている。
【００１７】
前記両支柱側板１、１は、全体として台形状の中空体で断面が方形となっており上端と下端は開口しているが、上端の開口部には着脱自在の蓋３が取り付けられるようになっている。この蓋３，３を設けることにより両支柱側板１の剛性が強化される。  また、書棚の裏側の下方には背面補強板４が取り付けられている。  すなわち、この背面補強板４は支柱側板１、１の間の下部に取り付け固定され全体の剛性を強化するようになっている。
【００１８】
なお、図１において、５は簡易軽量陳列・書棚本体Ａの背面上端から突出するように取り付けられた広告用パネルであり、陳列される書籍などの宣伝広告の用に供されるもので種々の態様で使用することができる。
【００１９】
なお、上述の実施例では、簡易軽量陳列・書棚の素材としてダンボールが使用されている。
【図面の簡単な説明】
【００２０】
【図１】本願に係る簡易軽量陳列・書棚の１実施例を示す斜視図である。
【図２】図１に示す簡易軽量陳列・書棚の一部分解斜視図である。
【図３】図２に示す書棚の断面図である。
【符号の説明】
【００２１】
Ａ．．．．．．．簡易軽量陳列・書棚（本体）
１．．．．．．．支柱側板
２．．．．．．．書棚
２a．．．．．．．差込溝部
３．．．．．．．蓋
４．．．．．．．背面補強板
５．．．．．．．広告パネル
２１．．．．．（書棚の）直立部
２２．．．．．（書棚の）水平部
２１a．．．．．上部強化片部
２２a..．．．下部強化片部
【図１】
0003175644.tif 000003
【図２】
0003175644.tif 000004
【図３】
0003175644.tif 000005